(57)【要約】【課題】正しい測定条件となるように被測定者に対して意識付けを行なう。【解決手段】電子血圧計１は、生体の測定部位に巻付けられて空気が供給されることにより膨張するカフと、カフの内圧を測定するセンサと、センサが測定した内圧に基づき血圧を算出する血圧／脈拍算出部位１０２と、血圧測定に際して、カフが巻付けられた測定部位において検出されるカフ圧に基づき、生体とカフの間に衣服が介在するか否かを検出する測定条件検出部１０５と、血圧／脈拍算出部により算出されたデータと測定条件検出部１０５による検出結果とを報知する報知部１０７を備える。【選択図】図３
2010017334.tif 000002
【特許請求の範囲】
【請求項１】
生体の測定部位に巻付けられて流体が供給されることにより膨張する測定用袋と、
前記測定用袋の内圧を測定するセンサと、
前記センサが測定した内圧に基づき血圧を算出する血圧算出手段と、
血圧測定に際して、前記測定用袋が巻付けられた前記測定部位において検出される情報に基づき、前記生体と前記測定用袋の間に衣服が介在するか否かを検出する衣服検出手段と、
前記血圧算出手段により算出された前記血圧と前記衣服検出手段による検出結果とを同時に報知する手段を備える、電子血圧計。
【請求項２】
前記衣服検出手段は、
血圧測定に際して、前記測定用袋に前記流体を徐々に供給する期間において、前記センサにより測定される前記測定部位に巻付けられた前記測定用袋の前記内圧の時間経過に従う変化パターンを検出する内圧変化検出手段を含み、
前記内圧変化検出手段により検出された前記変化パターンに基づいて、前記生体と前記測定用袋の間に衣服が介在するか否かを検出する、請求項１に記載の電子血圧計。
【請求項３】
前記衣服検出手段により前記生体と前記測定用袋の間に衣服が介在すると検出されたとき、前記血圧算出手段により算出された前記血圧を、前記内圧変化検出手段により検出された前記変化パターンに従うデータに基づき補正する、請求項２に記載の電子血圧計。
【請求項４】
前記衣服検出手段は、
血圧測定に際して、前記測定部位における生体インピーダンスを測定するインピーダンス測定手段を含み、
前記インピーダンス測定手段により測定されたインピーダンスに基づいて、前記生体と前記測定用袋の間に衣服が介在するか否かを検出する、請求項１に記載の電子血圧計。
【請求項５】
前記血圧算出手段により算出された前記血圧と前記衣服検出手段による検出結果とを関連付けて記憶するデータ記憶手段をさらに備える、請求項１から４のいずれかに記載の電子血圧計。
【発明の詳細な説明】
【技術分野】
【０００１】
この発明は電子血圧計に関し、特に、測定部位に腕帯などのカフを巻付けて血圧測定を行なう電子血圧計に関する。
【背景技術】
【０００２】
従来は、血圧測定において、服を着たまま測定されるケースがある。薄手のシャツなどでは問題ない測定精度を得ることができるかもしれないが、セーターなどの厚手の衣服を着たまま腕帯が巻付けられて測定された場合には、血圧値が本来の値よりも高く測定されてしまう。
【０００３】
特開２００４−１８０９１０号公報（以下、特許文献１）に開示されているような、オシロメトリック方式の血圧測定装置では、空気袋を内包する腕帯（カフ）を測定者である生体の所定部位に巻付けて固定し、空気袋を加減圧してその内圧の初期状態からの変化である内圧変化を測定することで、測定者の血圧を計測している。
【０００４】
ところで、特許文献１に開示されているような従来の血圧測定装置では、服を脱いで、または、袖を捲って血圧を測定するのが一般的である。しかしながら、特に温度が低い場所で服を脱いだり袖を捲ったりすることは、測定者の体への刺激が強く、血圧変動の原因にもなる。また、血圧を測定する必要がある測定者には高齢者が多いことを考慮すると、測定者の体に急激な刺激を与えることはできるだけ避けることが好ましい。また、袖を捲ることで上腕の上部が強く圧迫される場合が少なからずあり、それによる血圧への影響も無視できない。このため、着衣のまま血圧を測定したいという要求がある。また、服を着た状態で測定できれば、より簡単に測定できるという使用者側のメリットも大きい。
【特許文献１】特開２００４−１８０９１０号公報
【発明の開示】
【発明が解決しようとする課題】
【０００５】
着衣のまま血圧を測定した場合、カフと測定部位との間に介する衣服に脈の拍動が吸収されるため、特許文献１に開示されているような従来の血圧測定装置では、着衣のまま血圧を測定すると、脈の拍動やカフの圧迫力が衣服によって損失し、測定精度が確保できないという問題がある。
【０００６】
本発明はこのような問題に鑑みてなされたものであって、正しい測定条件となるように被測定者に対して意識付けを行なうための電子血圧計を提供することを目的とする。
【課題を解決するための手段】
【０００７】
この発明のある局面に従う電子血圧計は、生体の測定部位に巻付けられて流体が供給されることにより膨張する測定用袋と、測定用袋の内圧を測定するセンサと、センサが測定した内圧に基づき血圧を算出する血圧算出手段と、血圧測定に際して、測定用袋が巻付けられた測定部位において検出される情報に基づき、生体と測定用袋の間に衣服が介在するか否かを検出する衣服検出手段と、血圧算出手段により算出された血圧と衣服検出手段による検出結果とを同時に報知する報知手段を備える。
【０００８】
好ましくは、衣服検出手段は、血圧測定に際して、測定用袋に流体を徐々に供給する期間において、センサにより測定される測定部位に巻付けられた測定用袋の内圧の時間経過に従う変化パターンを検出する内圧変化検出手段を含み、内圧変化検出手段により検出された変化パターンに基づいて、生体と測定用袋の間に衣服が介在するか否かを検出する。  
【０００９】
好ましくは、衣服検出手段により生体と測定用袋の間に衣服が介在すると検出されたとき、血圧算出手段により算出された血圧を、内圧変化検出手段により検出された変化パターンに従うデータに基づき補正する。
【００１０】
好ましくは、衣服検出手段は、血圧測定に際して、測定部位における生体インピーダンスを測定するインピーダンス測定手段を含み、インピーダンス測定手段により測定されたインピーダンスに基づいて、生体と測定用袋の間に衣服が介在するか否かを検出する。
【００１１】
好ましくは、血圧算出手段により算出された血圧と衣服検出手段による検出結果とを関連付けて記憶するデータ記憶手段をさらに備える。
【発明の効果】
【００１２】
この発明によれば、生体と測定用袋の間に衣服が介在するか否かを検出結果を報知して、正しい血圧測定の条件となるように被測定者に対して意識付けを行なうことができる。
【発明を実施するための最良の形態】
【００１３】
以下、この発明の実施の形態について図面を参照して詳細に説明する。なお、各図中、同一符号は同一または相当部分を指し、その説明は繰返さない。
【００１４】
発明者らは、衣服を装着したままの測定部位において腕帯などのカフを巻付けて血圧測定を行なった場合には、その衣服の締付け分だけ余計に測定部位に圧力がかかり、測定結果として血圧値が２〜３ｍｍＨｇほど高くなることを実験により検出し、この結果に基づき、衣服着用状態のままであることが検出された場合には、その血圧測定結果を補正することで、ほぼ正確な血圧値が得られるであろうとの知見を得ている。
【００１５】
図１は、本発明の実施の形態に係る電子血圧計１の概観とカフ装着の態様とを示す図である。図１を参照して、電子血圧計１は、本体部１０と、被測定者の生体の測定部位に巻付けられるカフ２０と、カフ２０と本体部１０とを接続するためのエアチューブ３１とを備える。本体部１０の表面には、たとえば液晶などにより構成される表示部４０と、ユーザ（被測定者）からの指示を受付けるための操作部４１を構成する各種スイッチ４１Ａ、４１Ｂ、４１Ｃ、４１Ｄおよび４１Ｅと、測定部位において衣服を着用したままの血圧測定が行なわれていることをエラーとして報知するためのＬＥＤ（Light Emitting Diode）などからなるエラー出力部４４が配置される。
【００１６】
本実施の形態における電子血圧計１は、図１に示されるように、本体部１０とカフ２０が別体である形態を例示しているが、手首式の電子血圧計で採用されているような、本体部１０がカフ２０に一体的に取付けられた形態（後述の図９のような形態）であってもよい。
【００１７】
図２は、本実施の形態に係る電子血圧計１のハードウェア構成を表わすブロック図である。図２を参照して、電子血圧計１の血圧測定用袋である帯状のカフ２０は、流体である空気が流入されて膨張する空気袋２１と、生体インピーダンス検出のための電極部７０とを含む。電極部７０は、所定レベルの電流が印加される印加電極７１と、電流を検出するための検出電極７２とを含む。空気袋２１が膨張することによりカフ２０自体も膨張する。
【００１８】
本体部１０は、上述の表示部４０および操作部４１に加え、各部を集中的に制御し、各種の演算処理を行なうためのＣＰＵ（Central Processing Unit）１００と、ＣＰＵ１００に所定の動作をさせるプログラムや各種データを記憶するためのメモリ部４２と、測定された血圧データなどの各種のデータを記憶するための不揮発性メモリの一種であるフラッシュメモリ４３と、ＣＰＵ１００を介し各部に電力を供給するための電源４６、および現在時間を計時して計時データをＣＰＵ１００に出力するタイマ４５と、エラー出力部４４とを含む。操作部４１は、タイマ４５の計時データを設定するための時計設定スイッチ４１Ａ、測定開始の指示を受付けるための測定スイッチ４１Ｂ、測定停止の指示を受付けるための停止スイッチ４１Ｃ、フラッシュメモリ４３に記憶された血圧などの情報を読出す指示を受付けるためのメモリスイッチ４１Ｄと、測定した血圧データを補正する指示を受付けるための補正スイッチ４１Ｅを有する。
【００１９】
本体部１０は、さらに、エア系３０と、カフ圧の調整機構５０と、発振回路３３と、印加電極７１に電流を印加するための電流印加回路７３、検出電極７２における電流を検出するための電流検出回路７４とを含む。エア系３０は、ポンプ５１、弁５２および空気袋２１内の圧力（カフ圧）を検出するための圧力センサ３２からなる。エア系３０は、エアチューブ３１を介して、カフ２０に内包されている空気袋２１と接続される。電極部７０、電流印加回路７３および電流検出回路７４は、生体インピーダンス法に従い、生体を検出する。つまり、電流印加回路７３を介して印加電極７１により測定部位の生体に流した電流量と、電流検出回路７４が検出電極７２を介して検出した電流量との差を計測し、計測した差の値に基づき、測定部位の体組成を推測する。たとえば、体組成が脂肪であれば、ほとんど電流を流さないので、印加電極から電流を印加しても、検出電極による電流は検出されないことになる。これを利用して、脂肪以外の体組成を検出することができる。ここでは、測定部位において衣服着用のままであった場合にもほとんど電流を流さないので、検出電極による電流は検出されないことになる。このように生体インピーダンスを検出することにより、測定部位において衣服が装着されたままであるか否かを検出することができる。
【００２０】
図３は、本実施の形態に係る電子血圧計１の機能構成を示すブロック図である。図３を参照して、ＣＰＵ１００は、カフ圧を調整するための圧力調整部１０１、血圧および脈拍を算出するための血圧／脈拍算出部１０２、測定部位における生体インピーダンスを検出するためのインピーダンス検出部１０４、血圧測定の条件である測定部位に衣服着用であるかを検出するための測定条件検出部１０５および測定結果を出力するための報知部１０７を備える。
【００２１】
なお、図３には、説明を簡単にするために、ＣＰＵ１００の有するこれら各部との間で直接的に信号を授受する周辺のハードウェアのみを示す。
【００２２】
圧力調整部１０１はポンプ駆動回路５３および弁駆動回路５４を介してポンプ５１および弁５２を制御し、これにより空気袋２１内のカフ圧を調整する。
【００２３】
血圧／脈拍算出部１０２は、発振回路３３から入力する脈圧信号に基づき、最高血圧および最低血圧、ならびに脈拍数を算出する。血圧／脈拍算出部１０２は血圧補正部１０３を有する。血圧補正部１０３は、血圧／脈拍算出部１０２によって算出された血圧を、補正する。
【００２４】
インピーダンス検出部１０４は、電流印加回路７３および電流検出回路７４を介して印加する電流および検出される電流に基づき、前述したように測定部位の生体インピーダンスを検出し、測定条件検出部１０５に出力する。
【００２５】
測定条件検出部１０５は、圧力調整部１０１によるカフ圧を加圧する期間におけるカフ圧の単位時間当たり変化量である傾きを検出する傾き検出部１０６を含む。
【００２６】
フラッシュメモリ４３は、作業領域である記憶領域Ｅ１、記憶領域Ｅ２およびＥ３を含む。記憶領域Ｅ２には、血圧補正部１０３によって参照されるテーブルＴＢが予め格納される。テーブルＴＢには、傾き検出部１０６によって検出され得る傾きのデータＴＢ１のそれぞれに対応して、補正量（ｍｍＨｇ）のデータＴＢ２が格納される。テーブルＴＢのデータは、予め実験などにより求めて準備することができる。データＴＢ１は、後述の図４の時間Ｔ１とＴ２の間の直線Ｌ２の傾きを指す。
【００２７】
記憶領域Ｅ３には血圧測定結果のデータが格納される。血圧測定結果のデータＤ２は測定の日付であって、タイマ５４によって計時されたデータに基づく測定日付のデータＤ１と、フラグＦＬ１とを関連付けて格納する。フラグＦＬ１は、衣服が装着されたままの血圧測定のデータであるか否かを示す。フラグＦＬ１の値が“０”である場合、関連付けされた血圧測定のデータＤ２は、衣服が装着されていない状態の測定部位を介して検出されたデータであることを指示する。フラグＦＬ１の値が“１”である場合には、関連付けされた測定のデータＤ２は、測定部位において衣服が装着された状態で測定されたデータであることを指示する。
【００２８】
したがって、メモリスイッチ４１Ｄが操作されて、記憶領域Ｅ３の情報が読出されて表示部４０に表示される場合には、データＤ２の測定データを関連付けされているフラグＦＬ１の値に従う情報（衣服着用の有無）が表示されるので、被測定者または医師は、表示されている血圧測定のデータＤ２の信頼性を知ることができる。
【００２９】
図４には、空気袋２１にポンプ５１を介して単位時間当たり定量の空気を徐々に流入させてカフ圧Ｐｃを上昇させる過程における、タイマ５４よって計時される時間（Ｔ）とカフ圧Ｐｃの変化の様子が模式的に示される。図４は、実験により測定して得られたデータを指している。
【００３０】
測定部位に衣服を装着しているか否かに関わらず、カフ圧Ｐｃが上昇し、時間Ｔ１に至るまでは直線Ｌ１で示されるような一定の傾きでカフ圧が変化する。空気袋２１に空気が流入し、十分に膨張しカフ２０が測定部位に密着しつつあるとき、測定部位に衣服が装着された場合には、直線Ｌ１の傾きを経て、点Ｑ１（時間Ｔ１）においては、直線Ｌ２の傾きに従いカフ圧Ｐｃが変化する。これに対し、測定部位に衣服が装着されていない場合には、点Ｑ１から、直線Ｌ４に従う傾きでカフ圧Ｐｃが変化する。このように直線Ｌ２とＬ４で傾きが異なるのは、衣服が介在する分、測定部位に本来の圧力に上乗せして圧力がかかってしまい、その結果、検出するカフ圧Ｐｃが急上昇するからである。カフ２０が衣服に密着した際の傾き（直線Ｌ２の傾き）を経て、変化点Ｑ２に達すると、カフ２０が衣服を介し、測定部位に密着する。このときは、直線Ｌ３で示されるように直線Ｌ３の傾きは衣服が装着されていない場合の直線Ｌ４の傾きとほぼ同じになり、以降は直線Ｌ３とＬ４は同じ傾きをもって変化する。
【００３１】
図４に示されるように、測定部位に衣服が装着されている場合には、カフ圧Ｐｃは衣服が装着されていない場合のカフ圧Ｐｃ（直線Ｌ４）の傾きよりも大きな傾きをもって変化する。したがって、カフ圧Ｐｃの時間経過に従う変化パターンを検出することにより、測定部位に衣服が装着されているか否かを判定することができる。
【００３２】
図５、図６および図７のフローチャートに従い、本実施の形態に係る血圧測定の手順について説明する。図５〜図７のフローチャートに従うプログラムは、予めメモリ部４２に格納されており、ＣＰＵがメモリ部４２から当該プログラムの命令コードを読出し実行することにより、本実施の形態に係る血圧測定の処理が実現される。
【００３３】
まず、圧力調整部１０１は、ポンプ駆動回路５３および弁駆動回路５４を駆動して、圧力センサ３２の指示するカフ圧を初期化（たとえば０ｍｍＨｇ）調整する。
【００３４】
その後、圧力調整部１０１は、弁駆動回路５４を介し弁５２を全閉状態とし、その状態においてポンプ駆動回路５３を介してポンプ５１を駆動し、空気袋２１内に単位時間当たり定量の空気を徐々に送込む（ステップＳ５）。このような空気の送込みにより、空気袋２１は徐々に膨張し、カフ２０は測定部位に密着し得る状態に遷移する。
【００３５】
その後、インピーダンス検出部１０４または測定条件検出部１０５により衣服の検出処理がなされる（ステップＳ７）。この処理については後述する。
【００３６】
上述のように、加圧過程のデータに基づき、測定部位の衣服の有無が検出されると、空気袋２１内の空気を徐々に排気し、カフ圧Ｐｃの減圧過程に移行する（ステップＳ９）。この減圧過程において、圧力センサ３２および発振回路３３を介して検出されるカフ圧Ｐｃが指す圧脈波信号に基づき、血圧／脈拍算出部１０２は最高血圧および最低血圧（収縮期血圧および拡張期血圧）を算出するとともに、脈拍数を算出する（ステップＳ１１）。
【００３７】
ステップＳ１３では、表示部４０に、算出した血圧と脈拍数のデータを表示する。ステップＳ１５では、ステップＳ７における衣服の検出結果を、エラー出力部４４を介して表示する。後述のフラグＥＬ１の値に基づき衣服の介在を検出すると、エラー出力部４４のＬＥＤを点灯し、検出しないとＬＥＤは消灯したままとする。
【００３８】
また、衣服の検出結果の出力態様はこれに限定されず、表示部４０に血圧と脈拍数のデータとともに同時に表示する、または血圧と脈拍数のデータとは個別に表示するとしてもよい。この表示においては‘衣服を着用していませんか？。正しい血圧測定ができません。’などの具体的なメッセージを表示してもよい。
【００３９】
このように衣服検出結果を報知して被測定者に対し正しい条件で血圧測定できるように意識付けすることができる。
【００４０】
続いて、表示部４０に表示された衣服の検出結果を確認した被測定者が、補正スイッチ４１Ｅを操作したか否かを判定する（ステップＳ１７）。ＣＰＵ１００によって、補正スイッチ４１Ｅが操作されたことが検出されると（ステップＳ１７でＹＥＳ）、血圧補正部１０３によってステップＳ１１において算出された血圧値について後述の補正処理が実行される（ステップＳ１９）。一方、補正スイッチ４１Ｅが操作されない場合には（ステップＳ１７でＮＯ）、血圧測定データと日付および衣服の検出結果のフラグＦＬ１のデータが関連付けられてフラッシュメモリ４３の記憶領域Ｅ３に格納される（ステップＳ２１）。
【００４１】
図６と図７を参照し、図５における衣服の検出処理（ステップＳ７）の手順について説明する。
【００４２】
図６を参照し、インピーダンスによる衣服の検出手順について説明する。
まず、測定条件検出部１０５は検出結果を指示するための一時変数であるフラグＦＬ１に０をセット（フラグＦＬの値を０に更新）する（ステップＳＴ３）。
【００４３】
その後、インピーダンス検出部１０４は、電流印加回路７３を介して電流を測定部位に印加し、その印加電流レベルと、電流検出回路７４を介し測定部位から検出した電流レベルとの差分に基づき、測定部位とカフ２０の間に衣服が介在しているか否かを検出する。つまり、電流レベルの差分に基づき測定部位のインピーダンスの検出を行ない（ステップＳＴ５）、検出したインピーダンス値を測定条件検出部１０５に出力する。
【００４４】
測定条件検出部１０５は、検出されたインピーダンス値が所定の閾値ＴＨ１以上を指示するか否かを判定する（ステップＳＴ７）。閾値ＴＨ１以上を検出すると、衣服が介在すると判定し（ステップＳＴ９）、フラグＦＬ１に１をセットする（フラグＦＬの値を１に更新する）。一方、インピーダンスが閾値ＴＨ１未満を検出すると、フラグＦＬ１の値は０のままに、処理は終了する。
【００４５】
図７を参照して、衣服の検出の他の手順について説明する。
前提として、ステップＳ５では、測定条件検出部１０５は、カフ圧を加圧する過程において、圧力センサ３２によって逐次検出されるカフ圧Ｐｃと、並行してタイマ５４から入力する計時データとを入力し、両方のデータを関連付けてフラッシュメモリ４３の作業領域Ｅ１に逐次格納する。加圧過程ではカフ圧を被測定者の最高血圧付近まで上昇させる。これによって、加圧過程においては、作業領域Ｅ１では、タイマ４５の計時する時間（Ｔ）の経過に従いカフ圧Ｐｃの値がプロットされて図４に示すようなカフ圧Ｐｃの計時変化のパターンを示すグラフを得ることができる。
【００４６】
被測定者の最高血圧付近までカフ圧が上昇して加圧過程が終了すると、測定条件検出部１０５はフラグＦＬ１に０をセットする（ステップＳＳ３）。そして、作業領域Ｅ１に格納された図４に従う測定データが指示する直線の傾きを傾き検出部１０６により検出する（ステップＳＳ５）。つまり、加圧開始直後からのカフ圧Ｐｃの増加量に基づきグラフの傾きを算出する。この算出した傾きは図４の時間Ｔ１に達するまでは、主にカフ２０が膨張する期間であるから直線Ｌ１で指示されるように衣服が介在するか否かにかかわらずカフ圧Ｐｃの増加速度（傾き）はほぼ同じである。
【００４７】
加圧が進行してカフ２０が十分に膨張し測定部位に密着し得る状態になると（図４の時間Ｔ１）、その後の単位時間当たりのカフ圧Ｐｃの増加量に基づき検出される傾きは小さくなり、カフ圧Ｐｃは図４の直線Ｌ２またはＬ４のように変化する。この変化のタイミングにおいて、測定条件検出部１０５は、図４の変化点Ｑ１を検出する。
【００４８】
直線Ｌ４は衣服が介在しない場合のカフ圧Ｐｃの変化を示し、直線Ｌ２はカフ２０が衣服に密着している場合のカフ圧Ｐｃの変化を指す。
【００４９】
さらに加圧が進行すると、衣服が介在している場合には時間Ｔ２以降において、更に傾きが小さくなる。この変化のタイミングにおいて、測定条件検出部１０５は、図４の変化点Ｑ２を検出する。時間Ｔ２以降のカフ圧Ｐｃの変化を示す直線Ｌ３と、衣服が介在していない場合の直線Ｌ４とは、カフ２０が測定部位の生体に密着した状態を示す。
【００５０】
以上のように、測定条件検出部１０５は、衣服が介在するときは変化点Ｑ１とＱ２の２つを有するカフ圧の計時変化パターンを検出し、衣服が介在しないときは変化点Ｑ１のみを有するカフ圧の計時変化パターンを検出する（ステップＳＳ７）。
【００５１】
ここで、２つの変化点Ｑ１およびＱ２を検出した場合には（ステップＳＳ７でＹＥＳ）、測定条件検出部１０５は測定部位に衣服が装着されていると判定し、フラグＦＬ１の値を１にセットする（ステップＳＳ９）。一方、２つの変化点Ｑ１とＱ２が検出されない（変化点Ｑ１のみを検出する）場合には、測定条件検出部１０５は衣服が装着されていないと判定し（ステップＳＳ７でＮＯ）、フラグＦＬ１の値は更新せずに処理を終了する。
【００５２】
次に、ステップＳ１９の補正処理について説明する。血圧補正部１０３は、ステップＳ１１で算出された血圧値について、衣服が装着されていることに従った補正を施す。
【００５３】
ここでは、図７によるカフ圧の計時変化のパターンに基づき衣服着用の検出が行われる場合の補正について説明する。
【００５４】
具体的には、ステップＳ７において傾き検出部１０６により直線Ｌ２の傾き（図４参照）が検出されるので、この検出した傾きのデータを入力し、入力した傾きに基づき、記憶領域Ｅ２のテーブルＴＢを検索する。この検索によって、検出傾きに一致する傾きのデータＴＢ１に対応する補正量のデータＴＢ２をテーブルＴＢから読出す。そして、読出した補正量のデータＴＢ２を、検出した血圧のデータから減算することによって補正する。これにより、補正後の血圧測定データを得ることができる。補正されたデータは、フラッシュメモリ４３の記憶領域Ｅ３において、データＤ２として、日付のデータＤ１およびフラグＦＬ１のデータとともに対応付けて格納される（ステップＳ２１）。なお、格納されるデータＤ２は補正後のデータであることを指示する情報とともに（図１のデータＤ２に付されたマーク（※）など）格納される。したがって、メモリスイッチ４１Ｄを操作して読出し表示する時には、この指示情報に従えば、当該測定データは補正後のデータであることを報知することができる。また、ステップＳ１９では、補正後の血圧測定データを表示部４０に、補正結果のデータである旨のメッセージとともに表示する。
【００５５】
図８には、測定結果の表示例が示される。測定結果を表示する場合、表示部４０には測定データ（最高血圧、最低血圧および脈拍数）が表示されるとともに、衣服の着用（介在）の検出結果を指示するために、報知部１０７は、フラグＦＬ１の値に基づきエラー部４４のＬＥＤの点灯が制御される。衣服の着用が検出された場合には、表示部４０において表示される血圧データは、衣服着用状態のデータであることを指示するために、エラー検出部４４のＬＥＤの点灯を制御する。フラグＦＬ１が０を指示する場合には、衣服の着用が検出されていないので、ＬＥＤは点灯しないが、フラグＦＬ１が１を指示する場合には、衣服着用が検出されてＬＥＤは点灯する。
【００５６】
エラー検出部４４のＬＥＤの点灯を確認した被測定者は、測定データには衣服が介在しているので正確でないと判断し、補正を希望した場合には、補正スイッチ４１Ｅを操作する。補正スイッチ４１Ｅが操作されると前述したような補正処理が行なわれて、表示部４０の表示データは補正後のデータに更新される。
【００５７】
ここで、ステップＳ１９の補正処理の他の手順について説明する。
血圧補正部１０３は、ステップＳ７において傾き検出部１０６により直線Ｌ２に基づき、テーブルＴＢを検索して読出した補正量のデータＴＢ２を、検出した血圧のデータから減算することによって補正するが、図４の変化点Ｑ１とＱ２間の時間ＷＤの長さに応じて、補正量を変更しても良い。つまり、変化点Ｑ１とＱ２間の時間ＷＤは、介在する衣服がセーターなどの厚手であれば長くなり、薄手であれば短くなることが実験により得られている。したがって、この時間ＷＤの長さに応じた補正量のデータＴＢ２を用いて血圧データを補正してもよい。この時間ＷＤの長さに応じた補正量は、実験などにより予め決定しておくことができる。
【００５８】
図９には、本実施の形態に係る電子血圧計１の他の構成例が示される。図１の電子血圧計は、カフ２０を上腕部に巻きつけてカフ２０と本体部１０とが別体であったが、図９に示されるように、カフ２０と本体部１０とが一体的に構成されて、カフ２０を測定部位である手首に巻付けて血圧測定するタイプに適用されてもよい。
【００５９】
本実施の形態によれば、血圧測定時に血圧測定精度に影響のあるレベルの厚手の衣服を着用したまま測定した場合には、被測定者に「衣服を着用しているため、正しい血圧値は測定できない」ことをガイダンスすることにより、測定精度を維持できる測定態様に導くことができる。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６１】
【図１】本実施の形態に係る電子血圧計の外観を示す図である。
【図２】本実施の形態に係る電子血圧計のハードウェア構成図である。
【図３】本実施の形態に係る電子血圧計の機能構成図である。
【図４】本実施の形態に係るカフ圧の変化を示す図である。
【図５】本実施の形態に係る血圧測定処理のフローチャートである。
【図６】本実施の形態に係る衣服の検出処理のフローチャートである。
【図７】本実施の形態に係る衣服の検出処理の他のフローチャートである。
【図８】本実施の形態に係る測定結果の表示の一例を示す図である。
【図９】本実施の形態に係る他の電子血圧計の外観を示す図である。
【符号の説明】
【００６２】
４５  タイマ、５３  ポンプ駆動回路、５４  弁駆動回路、３３  発振回路、７３  電流印加回路、７４  電流検出回路、１０１  圧力調整部、１０２  血圧／脈拍算出部、１０３  血圧補正部、１０４  インピーダンス検出部、１０５  測定条件検出部、１０６  傾き検出部、１０７  報知部、４４  エラー出力部、４１Ｅ  補正スイッチ、ＴＢ  テーブル。
【図１】
2010017334.tif 000003
【図２】
2010017334.tif 000004
【図３】
2010017334.tif 000005
【図４】
2010017334.tif 000006
【図５】
2010017334.tif 000007
【図６】
2010017334.tif 000008
【図７】
2010017334.tif 000009
【図８】
2010017334.tif 000010
【図９】
2010017334.tif 000011